(57)【要約】【課題】シート着座時の保持力とマッサージ効果といった相反する機能の両立を可能とする。【解決手段】シートクッションあるいはシートバックにおける表皮材３０の内側に、マッサージ機構によって作動する可動体（例えばマッサージロール５０）が内蔵された形式のシートであって、前記表皮材５３０の内側に設けられ、かつ端末縁がシートフレーム１２側に結合された面状張設部材（例えばネット材４０）と、この面状張設部材の内面に接触した状態で、かつ回転自在に配置された張力規制体２０とを備えている。この張力規制体２０は、前記面状張設部材にその外側から荷重が加えられたとき、この面状張設部材を張る方向に回転し、逆に内側から荷重が加えられたとき、前記面状張設部材を弛ませる方向に回転するように設定されている。【選択図】    図１
2004298207.tif 000002
【特許請求の範囲】
【請求項１】
シートクッションあるいはシートバックにおける表皮材の内側に、マッサージ機構によって作動する可動体が内蔵された形式のシートであって、前記表皮材の内側に設けられ、かつ端末縁がシートフレーム側に結合された面状張設部材と、この面状張設部材の内面に接触した状態で、かつ回転自在に配置された張力規制体とを備え、この張力規制体は、前記面状張設部材にその外側から荷重が加えられたとき、この面状張設部材を張る方向に回転し、逆に内側から荷重が加えられたとき、前記面状張設部材を弛ませる方向に回転するように設定されているシート。
【請求項２】
請求項１に記載されたシートであって、張力規制体は、面状張設部材の内側において、シートフレームに回転自在に支持されているとともに、この張力規制体は、その回転支点からの距離に差がある二つのコーナ部を有し、前記回転支点から遠い方のコーナ部がシートのサイド寄りに位置しているシート。
【請求項３】
請求項１又は２に記載されたシートであって、張力規制体は、シートの両サイドにそれぞれ配置されているシート。
【請求項４】
請求項１，２又は３に記載されたシートであって、面状張設部材が表皮材の吊り込み部において互いに一体化され、この吊り込み部は、弾性部材を通じてシートの内側へ引き込まれているシート。
【発明の詳細な説明】
【０００１】
【発明の属する技術分野】
本発明は、例えば車両用のシートに関し、詳しくはマッサージ機能を備えたシートに関する。
【０００２】
【従来の技術】
従来、マッサージ機能を備えた車両用シートの構成は、シートフレームの枠内に張設部材を張り、この張設部材の内側にシートパッドが設けられる。そして、マッサージ機構の可動体（ロール）は、シートパッドの裏面側に配置され、このシートパッドの裏面から可動体を押し当てている。
なお、シートフレームに張設部材を張ったシート構造は、例えば特許文献１に開示されている。
【０００３】
【特許文献１】
特開２０００−１１６４６０号公報
【０００４】
【発明が解決しようとする課題】
シートの座り心地をよくするには、張設部材の張りを充分に確保して着座時における身体の沈み込み感を避ける必要がある。これに対し、マッサージ機構を使用するときは、張設部材の張りが大きいと、マッサージ用のロールをシート表面側の使用位置へ適正に移動させることができない。このため、一定の張りをもたせた張設部材では、シート着座時の保持力とマッサージ効果といった相反する機能の両立は困難とされている。
本発明は、従来の課題を解決しようとするもので、その目的は、シート着座時の保持力とマッサージ効果といった相反する機能の両立を可能とすることである。
【０００５】
【課題を解決するための手段】
本発明は、上記の目的を達成するためのもので、以下のように構成されている。
請求項１に記載の発明は、シートクッションあるいはシートバックにおける表皮材の内側に、マッサージ機構によって作動する可動体が内蔵された形式のシートであって、前記表皮材の内側に設けられ、かつ端末縁がシートフレーム側に結合された面状張設部材と、この面状張設部材の内面に接触した状態で、かつ回転自在に配置された張力規制体とを備えている。この張力規制体は、前記面状張設部材にその外側から荷重が加えられたとき、この面状張設部材を張る方向に回転し、逆に内側から荷重が加えられたとき、前記面状張設部材を弛ませる方向に回転するように設定されている。
【０００６】
この構成によれば、面状張設部材にその外側から荷重が加えられるシート着座時には、張力規制体によって面状張設部材が適正に張られ、シートとしての着座時における好ましい保持力を得ることができる。また、面状張設部材にその内側から荷重が加えられたとき、つまりマッサージ用の可動体を格納位置からシート表面側の使用位置へ進行させたときには、張力規制体によって面状張設部材を弛ませることができる。このため、マッサージ用の可動体を使用位置へ無理なく移動させることができる。これらのことから、シート着座時の保持力とマッサージ効果といった相反する機能の両立が可能となる。
【０００７】
請求項２に記載の発明は、請求項１に記載されたシートであって、張力規制体は、面状張設部材の内側において、シートフレームに回転自在に支持されている。また、この張力規制体は、その回転支点からの距離に差がある二つのコーナ部を有し、前記回転支点から遠い方のコーナ部がシートのサイド寄りに位置している。
これにより、張力規制体はその回転姿勢に応じて面状張設部材の張り具合を変化させることができる。すなわち、張力規制体は、面状張設部材に加わる荷重の方向に応じて、この面状張設部材を張る方向、あるいは面状張設部材を弛ませる方向に回転し、先に記載した機能を発揮できる。
【０００８】
請求項３に記載の発明は、請求項１又は２に記載されたシートであって、張力規制体は、シートの両サイドにそれぞれ配置されている。
したがって、面状張設部材の張り具合が、その全面にわたって均等に調整される。
【０００９】
請求項４に記載の発明は、請求項１，２又は３に記載されたシートであって、面状張設部材が表皮材の吊り込み部において互いに一体化され、この吊り込み部は、弾性部材を通じてシートの内側へ引き込まれている。
これにより、吊り込み部において表皮材を充分に引き込んでシート表面の意匠性を維持することができる。また、面状張設部材がマッサージ用の可動体によって内側からの荷重を受けたときには弾性部材が伸びることで、この可動体をスムースに使用位置へ移動させることができる。
【００１０】
【発明の実施の形態】
以下、本発明の実施の形態を説明する。まず、本発明の実施の形態１を図１〜図４によって説明する。
図１は、車両用シートのシートバックを表した正面図である。図２は、図１のＡ−Ａ矢視方向の断面図である。図３は、シートバック内のフレームの一部を斜視図と断面図とによって表した構成図である。これらの図面で示すように、シートバック１０は、その内部にシートフレーム１２が位置し、かつ前面および両側面が表皮材３０で被われている。また、シートバック１０の背面には、バックパネル３４が設けられている。
【００１１】
シートフレーム１２は、アーチ形に形成されたフレーム本体１２ａと、その両脚部間に架け渡されたロアパイプ１２ｂとによって構成されている（図１，３）。フレーム本体１２ａには、その両サイドにおいてフレームワイヤ１４が固定されている。また、シートバック１０内の両サイドには、シートパッド２６が両フレームワイヤ１４をコアとした格好で設けられている。これらのシートパッド２６は、シートバック１０の両サイドにおいて前面側に隆起した土手部分を構成する。
【００１２】
図１で示すようにフレーム本体１２ａの両サイドには、張力規制体２０がそれぞれ配置されている。これらの張力規制体２０は、上下に長く、かつ背面側が開放された箱形をしている。図３（Ａ）で示すように張力規制体２０の上下端部は、フレーム本体１２ａに固定された上下の支持ブラケット１６に対し、回転軸２２によって回転自在に支持されている。この支持構造については、図３（Ｂ）で示すように、張力規制体２０の内側から支持ブラケット１６側に挿通させた回転軸２２の端部がカシメつけられている。また、支持ブラケット１６と張力規制体２０との間には、張力規制体２０が円滑に回転するように、樹脂製のワッシャ２４を介在させている。
【００１３】
張力規制体２０は、樹脂または金属製であって、その表面は滑らかに仕上げられている。この張力規制体２０の回転支点である回転軸２２の軸心は偏っており、張力規制体２０における二つのコーナ部２０ａ，２０ｂと軸心との間の距離には差がある。そして、回転軸２２の軸心に近い方のコーナ部２０ａがシートバック１０の中央寄りに位置し、軸心から遠い方のコーナ部２０ｂがシートバック１０のサイド寄りに位置している。
【００１４】
表皮材３０は、布や皮革製で、その内側面はパッド層３０ａになっている。そして、表皮材３０は、シートバック１０の前面部分を構成するメイン部分３１と、シートバック１０の両側面部分を構成するサイド部分３２とに分かれており、縫着部４６で互いに結合されている。つまり、両サイドのシートパッド２６は、その外側が表皮材３０のサイド部分３２によって被われている。なお、表皮材３０におけるサイド部分３２の端末縁は、フレーム本体１２ａに結合されている（図２）。
【００１５】
表皮材３０の内側には、ネット材４０（面状張設部材）が設けられている。このネット材４０は、図２で示すように表皮材３０の縫着部４６において表皮材３０と一体的に縫い付けられている。この縫着部４６から端末縁までのネット材４０は、張力規制体２０の両コーナ部２０ａ，２０ｂを含む表面に沿ってフレーム本体１２ａ側へ導かれている。そして、ネット材４０の端末縁にはネットワイヤ４２が挿通されており、このネットワイヤ４２がフレーム本体１２ａのフレームワイヤ１５にホグリング４４で結合されている。
ネット材４０は、ナイロンやポリエステルなどの弾性力を有する単繊維からなる撚糸を、網目状に構成したものである。ただし、面状張設部材としては、ネット材４０とほぼ同じ素材からなる布やその他の素材を使用することもできる。
【００１６】
図２で示すようにシートバック１０の内部には、マッサージ機構のマッサージロール５０（可動体）が配置されている。このマッサージロール５０は、マッサージ機構を使用しないときには図面の実線で示す格納位置にある。そして、マッサージ機構を作動させると、マッサージロール５０がシートバック１０の前面側へ移動し、図面の仮想線で示す使用位置において左右への往復動作（マッサージ動作）を繰り返す。つまり、マッサージ効果を高めるには、マッサージロール５０に負担をかけることなく、適正な使用位置へ移動させることが重要である。
【００１７】
図４は、張力規制体２０とネット材４０との関係を図２と対応させて表した説明図である。この図面で明らかなように、張力規制体２０はネット材４０に加わる荷重の方向によって回転軸２２の軸線回りに回転する。つまり、ネット材４０に対し、シート着座者の身体によって外側からの荷重Ｆ１が加えられたとき、このネット材４０によって張力規制体２０のコーナ部２０ａ側に大きな力が作用する。この結果、張力規制体２０は、図４において時計回り方向に回転して（イ）の状態になる。これにより、ネット材４０が引っ張られ、ネット材４０は外側からの荷重を受けているにもかかわらず、ほとんど弛まず、着座時における好ましい保持力が確保される。
【００１８】
一方、ネット材４０に対し、マッサージロール５０が格納位置から使用位置に移動することによって内側からの荷重Ｆ２が加えられたときは、このネット材４０によって張力規制体２０のコーナ部２０ｂ側に大きな力が作用する。したがって、このときの張力規制体２０は図４において反時計回り方向に回転して（ロ）の状態になる。これにより、ネット材４０を弛ませることができ、マッサージロール５０を使用位置へ負担なく移動させることができる。
【００１９】
図５，６は、縫着部４６の変更例をそれぞれ表した断面図である。
図５は、図２の縫着部４６をファスナー結合部４６Ａに代えた場合で、ネット材４０側に平面ファスナーのオス側４６Ａ−１が縫い付け、あるいは接着などで装着されている。これに対し、表皮材３０におけるメイン部分３１とサイド部分３２との結合部側に、平面ファスナーのメス側４６Ａ−２が縫い付けられている。そして、オス側４６Ａ−１とメス側４６Ａ−２とが互いに接合されている。
【００２０】
図６は、図２の縫着部４６をホグリング結合部４６Ｂに代えた場合で、表皮材３０におけるメイン部分３１とサイド部分３２との結合部側に力布３０ｂを縫い付け、そこにカバーワイヤ４６Ｂ−１を挿通させている。このカバーワイヤ４６Ｂ−１と、ネット材４０に挿通させたネットワイヤ４６Ｂ−２とがホグリング４６Ｂ−３によって結合されている。
【００２１】
図７は、フレームワイヤ１５に対するネット材４０の結合構造における変更例を表した断面図である。この例では、図２のネットワイヤ４２およびホグリング４４に代えてネット材４０側にフック４５が縫い付けられている。このフック４５をフレームワイヤ１５に対して直接係合させている。
【００２２】
つづいて、本発明の実施の形態２を図８によって説明する。
図８は、シートバックの一部を図２と対応させて表した断面図である。この図面で示すように、表皮材３０におけるメイン部分３１とサイド部分３２との縫着部は、シートバック１０の縦方向に沿った吊り込み部６０になっている。この吊り込み部６０は、表皮材３０側の力布６２に挿通させたカバーワイヤ６４と、ネット材４０に挿通させたネットワイヤ６６とをホグリング６８で結合することにより、表皮材３０をシートパッド２６のパッド凹部２６ａ内に深く引き込んだ構造になっている。
【００２３】
ネット材４０のネットワイヤ６６に近い箇所には、ゴムなどを用いた弾性部材７０の一方の端末縁が縫い付けられている。この弾性部材７０は、フレームワイヤ１５の延長部１５ａに案内されてフレーム本体１２ａ側に導かれ、他方の端末縁に挿通させたワイヤ７２と、フレームワイヤ１５とをホグリング７４で結合している。この弾性部材７０により、吊り込み部６０におけるネット材４０の弛みを規制することができる。その結果、吊り込み部６０において表皮材３０をシートバック１０の内部側へ充分に引き込み、シートバック１０表面の意匠性を高めることができる。また、マッサージロール５０が使用位置へ移動することに伴い、ネット材４０が内側からの荷重を受けたときには弾性部材７０が伸びて、マッサージロール５０に負担がかかるのを防止できる。
【００２４】
図９は、吊り込み部６０の変更例を表した断面図である。この図面の例では、吊り込み部６０のカバーワイヤ６４およびホグリング６８に代えて平面ファスナー８０を使用している。つまり、この平面ファスナー８０におけるオス側８０ａは表皮材３０のメイン部分３１とサイド部分３２との縫着部において一緒に縫い付けられ、メス側８０ｂはネット材４０側に縫い付けられている。そして、これらのオス側８０ａとメス側８０ｂとを接合することにより、表皮材３０の吊り込みを行っている。
【００２５】
以上のように、張力規制体２０の回転姿勢に応じてネット材４０の張り具合を変化させることにより、シート着座時における保持力の確保と、マッサージロール５０によるマッサージ効果の向上といった相反する機能の両立が可能となる。なお、図面では本発明をシートバック１０に適用した場合について説明したが、シートクッションに適用した場合でも同様の機能が得られる。
また、本実施の形態では車両用シートを対象として説明したが、住宅内で使用される家具シートを対象とした場合でも、車両用シートと同様の効果が得られる。
【図面の簡単な説明】
【図１】車両用シートのシートバックを表した正面図
【図２】図１のＡ−Ａ矢視方向の断面図
【図３】シートバック内のフレームの一部を表した構成図
【図４】張力規制体とネット材との関係を図２と対応させて表した説明図
【図５】縫着部の変更例を表した断面図
【図６】縫着部の変更例を表した断面図
【図７】フレームワイヤに対するネット材の結合構造における変更例を表した断面図
【図８】実施の形態２のシートバックを図２と対応させて表した断面図
【図９】実施の形態２における吊り込み部の変更例を表した断面図
【符号の説明】
１０    シートバック
１２    シートフレーム
２０    張力規制体
２２    回転軸（回転支点）
３０    表皮材
４０    ネット材（面状張設部材）
５０    マッサージロール（可動体）
【図１】
2004298207.tif 000003
【図２】
2004298207.tif 000004
【図３】
2004298207.tif 000005
【図４】
2004298207.tif 000006
【図５】
2004298207.tif 000007
【図６】
2004298207.tif 000008
【図７】
2004298207.tif 000009
【図８】
2004298207.tif 000010
【図９】
2004298207.tif 000011